(57)【要約】【課題】  アンテナ付近の金属補強板の形状を電波の送受信を妨げないように切欠いた形状とし、アンテナの感度を十分に確保できるアンテナ内蔵型乗場備品を備えたエレベータ用遠隔監視システムを得る。【解決手段】  エレベータの動作を監視するとともに、監視情報を送受信するエレベータ用遠隔監視装置２と、エレベータ乗場に設けられ、接続用の配線５を介してエレベータ用遠隔監視装置に接続されたアンテナ４を内蔵するアンテナ内蔵型乗場備品３とを備えたものにおいて、アンテナ内蔵型乗場備品は、内部にプリント配線基板６及び補強用金属板７が配設されており、補強用金属板は、アンテナの電波の送受信を妨げないようにアンテナ付近を切欠いた形状とする。【選択図】    図２
2007070050.tif 000002
【特許請求の範囲】
【請求項１】
エレベータの動作を監視するとともに、監視情報を送受信するエレベータ用遠隔監視装置と、
エレベータ乗場に設けられ、接続用の配線を介して前記エレベータ用遠隔監視装置に接続されたアンテナを内蔵するアンテナ内蔵型乗場備品とを備えたエレベータ用遠隔監視システムにおいて、
前記アンテナ内蔵型乗場備品は、内部にプリント配線基板及び補強用金属板が配設されており、前記補強用金属板は、前記アンテナの電波の送受信を妨げないようにアンテナ付近を切欠いた形状としたことを特徴とするエレベータ用遠隔監視システム。
【請求項２】
エレベータの動作を監視するとともに、監視情報を送受信するエレベータ用遠隔監視装置と、
エレベータ乗場に設けられ、接続用の配線を介して前記エレベータ用遠隔監視装置に接続されたアンテナを内蔵するアンテナ内蔵型乗場備品とを備えたエレベータ用遠隔監視システムにおいて、
前記アンテナ内蔵型乗場備品は、内部にプリント配線基板及び補強用金属板が配設されており、前記プリント配線基板及び補強用金属板は、前記アンテナの電波の送受信を妨げないようにアンテナ付近を切欠いた形状としたことを特徴とするエレベータ用遠隔監視システム。
【請求項３】
アンテナ内蔵型乗場備品は、アンテナ内蔵型乗場位置表示灯付押釦装置であり、上り方向乗場呼び登録釦と、下り方向乗場呼び登録と、乗場位置表示灯とを備えることを特徴とする請求項１又は請求項２記載のエレベータ用遠隔監視システム。
【発明の詳細な説明】
【技術分野】
【０００１】
この発明は、エレベータ用遠隔監視システム、特にそれに用いられるアンテナを内蔵したアンテナ内蔵型乗場備品に関するものである。
【背景技術】
【０００２】
従来のエレベータ用遠隔監視システムにおいては、電波の届かないエレベータ機械室内に設置され、エレベータの動作を監視するとともに外部の監視センターに対して監視情報を送受信する無線用のエレベータ用遠隔監視装置と、エレベータの乗場に設けられたエレベータ用備品に内蔵され、接続用の配線を介してエレベータ用遠隔監視装置に接続されたアンテナとを備えている（例えば、特許文献１参照）。
【０００３】
【特許文献１】特開２００３−３４４７２号公報
【発明の開示】
【発明が解決しようとする課題】
【０００４】
従来のエレベータ用遠隔監視システムでは、乗場にあるエレベータ用備品にアンテナを内蔵しているため、エレベータ用備品側に金属補強が施されていると、金属補強が電波を遮断してしまう恐れがあり、アンテナの感度が十分に確保できないという問題がある。
【０００５】
この発明は、上述のような課題を解決するためになされたもので、アンテナ付近の金属補強板の形状を電波の送受信を妨げないように切欠いた形状とし、アンテナの感度を十分に確保できるアンテナ内蔵型乗場備品を備えたエレベータ用遠隔監視システムを提供するものである。  
【課題を解決するための手段】
【０００６】
この発明に係るエレベータ用遠隔監視システムにおいては、エレベータの動作を監視するとともに、監視情報を送受信するエレベータ用遠隔監視装置と、エレベータ乗場に設けられ、接続用の配線を介してエレベータ用遠隔監視装置に接続されたアンテナを内蔵するアンテナ内蔵型乗場備品とを備えたものにおいて、アンテナ内蔵型乗場備品は、内部にプリント配線基板及び補強用金属板が配設されており、補強用金属板は、アンテナの電波の送受信を妨げないようにアンテナ付近を切欠いた形状としたものである。
【０００７】
また、エレベータの動作を監視するとともに、監視情報を送受信するエレベータ用遠隔監視装置と、エレベータ乗場に設けられ、接続用の配線を介してエレベータ用遠隔監視装置に接続されたアンテナを内蔵するアンテナ内蔵型乗場備品とを備えたエレベータ用遠隔監視システムにおいて、アンテナ内蔵型乗場備品は、内部にプリント配線基板及び補強用金属板が配設されており、プリント配線基板及び補強用金属板は、アンテナの電波の送受信を妨げないようにアンテナ付近を切欠いた形状としたものである。
【０００８】
また、アンテナ内蔵型乗場備品は、アンテナ内蔵型乗場位置表示灯付押釦装置であり、上り方向乗場呼び登録釦と、下り方向乗場呼び登録と、乗場位置表示灯とを備えるものである。
【発明の効果】
【０００９】
この発明によれば、エレベータの動作を監視するとともに、監視情報を送受信するエレベータ用遠隔監視装置と、エレベータ乗場に設けられ、接続用の配線を介してエレベータ用遠隔監視装置に接続されたアンテナを内蔵するアンテナ内蔵型乗場備品とを備えたものにおいて、アンテナ内蔵型乗場備品は、内部にプリント配線基板及び補強用金属板が配設されており、補強用金属板は、アンテナの電波の送受信を妨げないようにアンテナ付近を切欠いた形状としたので、金属による電波の遮蔽を防ぐことができ、アンテナの感度を十分に確保することができる。
【発明を実施するための最良の形態】
【００１０】
実施の形態１．
図１はこの発明の実施の形態１におけるエレベータ用監視システムを示す概略構成図、図２はこの発明の実施の形態１におけるエレベータ用監視システムのアンテナ内蔵型乗場備品を示す正面図、図３はこの発明の実施の形態１におけるエレベータ用監視システムのアンテナ内蔵型乗場備品を示す側面図、図４はこの発明の実施の形態１におけるエレベータ用監視システムのアンテナ内蔵型乗場備品を示す平面図である。
【００１１】
図において、１は電波の届かないエレベータの機械室等に設置されたエレベータ制御装置、２はエレベータ制御装置１に隣接して設置され、エレベータの動作を監視するとともに外部の監視センターに対して監視情報を送受信する無線用のエレベータ用遠隔監視装置、３はエレベータ乗場に設置され、アンテナ４が内蔵されたアンテナ内蔵型乗場位置表示灯付押釦装置等からなるアンテナ内蔵型乗場備品である。５はエレベータ用遠隔監視装置２とアンテナ内蔵型乗場位置表示灯付押釦装置３のアンテナ４とを接続する接続用の配線、６はアンテナ内蔵型乗場位置表示灯付押釦装置３内に設けられたプリント配線基板、７はプリント配線基板６と同様にアンテナ内蔵型乗場位置表示灯付押釦装置３内に設けられた補強用金属板である。このプリント配線基板６と補強用金属板７は、通常、アンテナ内蔵型乗場位置表示灯付押釦装置３内の略全面に亘って配設するのが一般的であるが、乗場位置表示灯付押釦装置３内にアンテナ４が内蔵されている場合には、補強用金属板７やプリント配線基板６が電波を遮蔽してアンテナ４の感度が確保できなくなる恐れがある。そこで、この発明の実施の形態１においては、上記プリント配線基板６と補強用金属板７の形状を、特にアンテナ４の電波の送受信を妨げないような構造、すなわち、アンテナ４付近を避けるように切欠いて、アンテナ４周辺の金属部を無くした形状としたものである。８はアンテナ内蔵型乗場位置表示灯付押釦装置３の前面下部に設けられた上り方向乗場呼び登録釦、９はアンテナ内蔵型乗場位置表示灯付押釦装置３の前面下部に設けられた下り方向乗場呼び登録釦、１０はアンテナ内蔵型乗場位置表示灯付押釦装置３の前面上部に設けられた位置表示灯である。なお、図中、１１は乗場壁面、１２は乗場壁面１１に埋め込まれるアンテナ内蔵型乗場備品用ボックスである。
【００１２】
この実施の形態１によれば、プリント配線基板６と補強用金属板７の形状を、アンテナ４の電波の送受信を妨げないような構造、すなわち、アンテナ４付近を避けるように切欠いて、アンテナ４周辺の金属部を無くした形状とすることにより、金属による電波の遮蔽を防ぐことができ、アンテナの感度を向上することができる。
【図面の簡単な説明】
【００１３】
【図１】この発明の実施の形態１におけるエレベータ用監視システムを示す概略構成図である。
【図２】この発明の実施の形態１におけるエレベータ用監視システムのアンテナ内蔵型乗場備品を示す正面図である。
【図３】この発明の実施の形態１におけるエレベータ用監視システムのアンテナ内蔵型乗場備品を示す側面図である。
【図４】この発明の実施の形態１におけるエレベータ用監視システムのアンテナ内蔵型乗場備品を示す平面図である。
【符号の説明】
【００１４】
１  エレベータ制御装置    
２  エレベータ用遠隔監視装置
３  アンテナ内蔵型乗場備品（アンテナ内蔵型乗場位置表示灯付押釦装置）
４  アンテナ
５  配線
６  プリント配線基板
７  補強用金属板
８  上り方向乗場呼び登録釦
９  下り方向乗場呼び登録釦
１０  位置表示灯
１１  乗場壁面
１２  アンテナ内蔵型乗場備品用ボックス
【図１】
2007070050.tif 000003
【図２】
2007070050.tif 000004
【図３】
2007070050.tif 000005
【図４】
2007070050.tif 000006